(57)【要約】【課題】視界を妨げることが少ないスタンド型の画像読取り装置を提供する。【解決手段】通常使用される姿勢において、画像読取りヘッドが平均的な体格の人の眼よりも上で頭頂部よりも下の高さとなるように、画像読取りヘッドを支持するアームを設ける。アームは、原稿の中心線から脇に逸れた位置に設けられる。画像読取りヘッドが備える光学系の光路は、鏡で９０度曲げることによって光軸が読取られる原稿と平行になるようにされることで、読取りヘッドの垂直方向の厚みが小さくなる。【選択図】図１
2004336115.tif 000002
【特許請求の範囲】
【請求項１】
ヘッドと、
前記ヘッドを支持する支持部とを具備し、
前記ヘッドは、
鏡と、
前記鏡に反射した原稿の像を結ぶレンズと、前記レンズの光軸は前記原稿を配置する配置面と実質的に平行であり、
前記像を電気信号に変換する光電素子を二次元的に配列したエリアイメージセンサとを具備する
画像読取り装置。
【請求項２】
請求項１において、
前記支持部は、前記配置面に垂直な方向から見たときに前記配置面の中心を外れている位置に前記ヘッドを支持する
画像読取り装置。
【請求項３】
請求項１または２において、
前記支持部は、前記ヘッドの上端が前記配置面から垂直に４４３ｍｍ以上の高さとなるように前記ヘッドを支持する
画像読取り装置。
【請求項４】
請求項１から３のうちのいずれか１項において、
前記支持部は、前記ヘッドの下端が前記配置面から垂直に５６２ｍｍ以下の高さとなるように前記ヘッドを支持する
画像読取り装置。
【請求項５】
請求項１から４のうちのいずれか１項において、
前記ヘッドは、前記配置面に垂直な方向の長さが５０ｍｍ以下である、
画像読取り装置。
【請求項６】
請求項１から５のうちのいずれか１項において、
更に、前記エリアイメージセンサを前記光電素子の相互間の距離よりも小さい距離だけ移動させる画素ずらし機構を具備する
画像読取り装置。
【請求項７】
請求項１から６のうちのいずれか１項において、
前記ヘッドは更に、当該画像読取り装置の使用状態を示す信号に応答して発光あるいは消灯を行う発光部を具備する
画像読取り装置。
【請求項８】
複数の人体の体格を示す値を平均した平均体格情報を収集するステップと、
前記平均体格情報を用いて、前記人体が所定の姿勢を取っているときの眼の高さを算出するステップとを具備し、
前記支持部は、前記ヘッドの下端の高さが前記眼の高さ以上となるように前記ヘッドを支持する
請求項１から７のうちのいずれか１項に記載の画像読取り装置の製造方法。
【請求項９】
請求項８において、
更に、前記平均体格情報を用いて、前記人体が所定の姿勢を取っているときの頭頂部の高さを算出するステップを具備し、
前記支持部は、前記ヘッドの上端の高さが前記頭頂部の高さ以下となるように前記ヘッドを支持する
画像読取り装置の製造方法。
【請求項１０】
複数の人体の体格を平均した平均体格情報を収集するステップと、
前記平均体格情報を用いて、前記人体が所定の姿勢を取っているときの頭頂部の高さを算出するステップとを具備し、
前記支持部は、前記ヘッドの上端の垂直方向の高さが前記頭頂部の高さ以下となるように前記ヘッドを支持する
請求項１から７のうちのいずれか１項に記載の画像読取り装置の製造方法。
【発明の詳細な説明】
【０００１】
【発明の属する技術分野】
本発明は、画像読取り装置に関する。
【０００２】
【従来の技術】
従来、１列に配列された画素からなるラインイメージセンサを具備し、ラインイメージセンサによって読取られる１次元の画像を走査機構によってずらしながら連続的に撮影して合成することによって２次元の画像の読取りを行う画像読取り装置が知られている。
【０００３】
二次元的に配列された画素からなるエリアイメージセンサを用いた画像読取り装置が知られている。エリアイメージセンサを用いた画像読取り装置は、ラインイメージセンサを用いた画像読取り装置に比べてサイズを小さくすることが容易である。エリアイメージセンサを用いた画像読取り装置は、読取り動作にかかる時間がラインイメージセンサを用いた画像読取り装置と同程度である場合、画素が光を蓄積する時間を長くすることが可能である。そのため、交流電灯線の明るさの変動が画質に与える悪影響（フリッカーと呼ばれる）が低く抑えられる。
【０００４】
エリアイメージセンサを用いた画像読取り装置の一例が図１１と図１２に示されている。図１１を参照して、画像読取り装置１０１は、上面に原稿１０３を配置する台１０２を具備している。台１０２には、アーム１３２の一端が取り付けられている。アーム１３２の他端には、画像読取り部１３１が取り付けられている。
【０００５】
図１２を参照して、画像読取り部１３１は、レンズ１３４を格納している。画像読取り部１３１は更に、画素を二次元的に配列したエリアイメージセンサ１０５を具備している。エリアイメージセンサ１０５は、イメージセンサ制御処理回路１０８に接続されている。イメージセンサ制御処理回路１０８は、エリアイメージセンサ１０５を駆動し、エリアイメージセンサ１０５からの画像信号を処理する。
【０００６】
こうした画像読取り装置１０１は、次のように動作する。画像読取り装置１０１は、机の上などの平坦な面に台１０２を下にして設置される。台１０２の上に、読取りの対象となる原稿１０３が置かれる。原稿１０３は、レンズ１３４の光軸１３６の延長線が台１０２の上面と交わる点である原稿中心１０４に中心が来るようにして台１０２の上に配置される。
【０００７】
原稿１０３は、室内の照明に用いられる蛍光灯などの光を反射する。反射された光はレンズ１３４に入射し、レンズ１３４は原稿１０３の光学像を結ぶ。画像読取り装置１０１が具備する図示しないスイッチがオン状態にされると、イメージセンサ制御処理回路１０８はエリアイメージセンサ１０５を動作させて、原稿１０３の光学像を電気的な信号からなる像に変換し、図示しない記憶装置に格納する。
【０００８】
用紙上の画像をレンズを介して光学的に読み取るイメージスキャナであって、前記用紙上の画像を読み取るためのレンズを画像読み取り範囲の中心から離脱させた光学系を持つ画像読み取り部を備えることを特徴とするイメージスキャナが知られている（特許文献１参照）。
【０００９】
【特許文献１】特開２０００−１１１４９号公報
【００１０】
【発明が解決しようとする課題】
本発明の目的は、使用者の視界が妨げられることが少ない画像読取り装置を提供することである。
本発明の他の目的は、使用者に威圧感を感じさせることが少ない画像読取り装置を提供することである。
本発明の更に他の目的は、読取られる原稿を間に挟んで対面する使用者と顧客の意思疎通が快適に行われる画像読取り装置を提供することである。
本発明の更に他の目的は、画質が高く使用者の視界を妨げることが少ない画像読取り装置を安価に提供することである。
本発明の更に他の目的は、オフィスの作業スペースを広く使用することを可能にする画像読取り装置を提供することである。
本発明の更に他の目的は、画質が高く操作性の良い画像読取り装置を提供することである。
【００１１】
【課題を解決するための手段】
以下に、［発明の実施の形態］で使用される番号を括弧付きで用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１２】
本発明による画像読取り装置（２、２ａ）は、ヘッド（４、４ａ）と、ヘッド（４、４ａ）を支持する支持部（６、８）とを具備している。ヘッド（４、４ａ）は、鏡（１８）と、鏡（１８）に反射した原稿（１０）の像を結ぶレンズ（１４）と、レンズ（１４）の光軸（５２）は原稿（１０）を配置する配置面（１２）と実質的に平行であり、像を電気信号に変換する光電素子（２９ａ、２９ｂ）を二次元的に配列したエリアイメージセンサ（１６）とを具備している。
こうした画像読取り装置によれば、エリアイメージセンサが用いられているために、画質が高い。それと共に、こうした画像読取り装置は、鏡によって光軸が原稿と平行の方向に向いていることによってヘッドの厚みを小さくすることができ、使用者の視界を妨げることが少ない。特に、原稿を挟んで使用者と顧客とが対面して画像読取り装置を用いる場合、両者の間の視界が妨げられることが少ない。
【００１３】
本発明による画像読取り装置（２、２ａ）において、支持部（６、８）は、配置面（１２）に垂直な方向（３４）から見たときに配置面（１２）の中心（５０）を外れている位置にヘッド（４、４ａ）を支持している。
こうした画像読取り装置によれば、使用者の視界を妨げることが少ない。特に、原稿を挟んで使用者と顧客とが対面して画像読取り装置を用いる場合、両者の間の視界が妨げられることが少ない。こうした画像読取り装置によれば、オフィスの作業スペースが広く使用される。
【００１４】
本発明による画像読取り装置（２、２ａ）において、支持部（６、８）は、ヘッド（４、４ａ）の上端が配置面（１２）から垂直に４４３ｍｍ以上の高さとなるようにヘッド（４、４ａ）を支持している。
こうした画像読取り装置によれば、平均的な体格をした使用者が原稿を見ようとするときに、ヘッドが視線よりも上にあるために、視界を妨げられることがない。
【００１５】
本発明による画像読取り装置（２、２ａ）において、支持部（６、８）は、ヘッド（４、４ａ）の下端が配置面（１２）から垂直に５６２ｍｍ以下の高さとなるようにヘッド（４、４ａ）を支持している。
こうした画像読取り装置によれば、ヘッドの高さが平均的な体格をした使用者の頭頂部よりも下であるために、使用者が威圧感を感じることが少ない。
【００１６】
本発明による画像読取り装置（２、２ａ）において、ヘッド（４、４ａ）は、配置面（１２）に垂直な方向（３４）の長さ（４６）が５０ｍｍ以下である。
こうした画像読取り装置によれば、使用者がヘッドによって視界が妨げられている空間を見ようとしたときに、顔を上または下に軽く動かすだけで見ることができる。
【００１７】
本発明による画像読取り装置（２、２ａ）は、エリアイメージセンサ（１６）を光電素子（２９ａ、２９ｂ）の相互間の距離よりも小さい距離だけ移動させる画素ずらし機構（２０）を具備している。
画素ずらし機構は、画素の数を逓倍した解像度の画像の作成を可能にする。そのため、同じ解像度の画像を得るために必要な画素の数が低く抑えられる。光電素子は価格が高いため、画素ずらし機構を具備する画像読取り装置は、画質の割に安価に提供することができる。こうした画像読取り装置によれば、使用者の視界を妨げることが少なく、かつ画質が高い画像読取り装置が安価に提供される。
【００１８】
本発明による画像読取り装置（２ａ）において、ヘッド（４、４ａ）は更に、当該画像読取り装置（２ａ）の使用状態を示す電気信号に応答して発光あるいは消灯を行う発光部（３１）を具備している。
こうした画像読取り装置によれば、画像の読取り中に発光部が発光するように制御されていると、読取り中の原稿を使用者が移動してしまうことが防止される。こうした画像読取り装置によれば、銀行あるいは店頭で使用されたとき、待機中の顧客が画像読取り装置の使用状況を容易に知ることができ、順番待ちの作業の流れが円滑になる。
【００１９】
本発明による画像読取り装置（２、２ａ）の製造方法は、複数の人体の体格を示す情報を平均した平均体格情報（ａ、ｂ、ｃ）を収集するステップと、平均体格情報（ａ、ｂ、ｃ）を用いて、人体が所定の姿勢を取っているときの眼の高さ（ｂ＋ｃ）を算出するステップとを具備している。支持部（６、８）は、ヘッド（４、４ａ）の下端の高さ（ｆ＋ｈ）が眼の高さ（ｂ＋ｃ）以上となるようにヘッド（４、４ａ）を支持している。
こうした製造方法によれば、平均的な体格をした使用者が原稿を見ようとしたときに、ヘッドが妨げとならない画像読取り装置が提供される。
【００２０】
本発明による画像読取り装置（２、２ａ）の製造方法は更に、平均体格情報（ａ、ｂ、ｃ）を用いて、人体が所定の姿勢を取っているときの頭頂部の高さ（ａ＋ｃ）を算出するステップを具備している。支持部（６、８）は、ヘッド（４、４ａ）の上端の垂直方向の高さ（ｇ＋ｈ）が頭頂部の高さ（ａ＋ｃ）以下となるようにヘッド（４、４ａ）を支持している。
こうした製造方法によれば、平均的な体格をした使用者が、ヘッドが自分の頭部よりも上にあることによる威圧感を感じることがなく、快適に使用できる画像読取り装置が提供される。
【００２１】
【発明の実施の形態】
以下、図面を参照しながら本発明による画像読取り装置について詳細に説明する。
【００２２】
図１を参照して、画像読取り装置２は、台８を具備している。台８は、机の上など実質的に水平な作業面１２に置かれ、画像読取り装置２を自立可能に支持している。台８は２本の腕部が各々の端部で直角に繋がっているＬ字型の形状をしている。画像読取り装置２によって読取られる対象となる原稿１０は、２本の腕部が抱え込む位置に置かれる。台８は目合わせ機能を有しており、例えばＡ４サイズの原稿１０の縁が２本の腕部に接するように配置されると画像読取りが適切に行われるように設計されていることが好ましい。
【００２３】
台８には、アーム６が取り付けられている。Ａ４サイズの原稿が配置されるときに原稿の中心を通り原稿の長辺に平行な線を縦中心線５６として、アーム６は縦中心線５６に平行な腕部に設けられることが好ましい。この位置にアーム６が設けられると、Ａ４サイズの原稿を縦に見ながら２人の使用者（銀行員と顧客など）が画像読取り装置２を挟んで正対する位置で使用するとき、アーム６が２人の間を結ぶ線から逸れた位置となり、邪魔にならない。
【００２４】
アーム６の上端には、画像読取り部４が取り付けられている。画像読取り部４は、光軸方向３２に長い形状をしている。光軸方向３２は、作業面１２と平行であると、使用者の視界を妨げることが少なく好ましい。光軸方向３２は、縦中心線５６と平行であると、使用者の視界を妨げることが更に少なく、更に好ましい。
【００２５】
原稿１０から画像読取り部４の上端までの高さ４４から、原稿１０から画像読取り部４の下端までの高さ４２を引いた長さである厚み４６は、５０ミリメートル以下であることが好ましい。厚み４６が５０ミリメートル以下であると、使用者が画像読取り部４によって遮られる視界の部分を見たいと思ったとき、顔の向きを軽く上または下に動かして視線を動かすことで容易に見ることができる。
【００２６】
画像読取り部４は、原稿１０の縦中心線５６を含み鉛直方向に延長する面から外れた位置に設けられていることが好ましい。こうした位置に画像読取り部４が設けられていると、使用者と顧客が画像読取り装置２を挟んで縦中心線５６の延長方向に正対する位置にあるとき、画像読取り部４が２人の間から逸れた位置となり、意思疎通が快適に行われる。
【００２７】
図２を参照して、画像読取り部４の構成について説明する。画像読取り部４は、ミラー１８と、レンズ１４と、エリアイメージセンサ１６と、画素ずらし機構２０とを具備している。ミラー１８は、原稿１０からの反射光を反射させて光路を作業面１２と実質的に水平な方向に向ける。レンズ１４は、ミラー１８によって反射された光を集光し、原稿１０の像を結像する。
【００２８】
エリアイメージセンサ１６は、レンズ１４の光軸に実質的に垂直な方向に２次元的に配列された画素を具備している。エリアイメージセンサ１６は、イメージセンサ制御処理回路２２に接続されており、レンズ１４が結像する原稿１０の像を電気信号に変換してイメージセンサ制御処理回路２２に出力する。イメージセンサ制御処理回路２２は、エリアイメージセンサ１６の動作に必要なクロック信号を送り、モードを設定し、エリアイメージセンサ１６を駆動し、エリアイメージセンサ１６からの画像信号を処理する。
【００２９】
画素ずらし機構２０は、エリアイメージセンサ１６を、画素が配列している面に平行な方向に、画素の相互間の距離よりも小さい微小な距離だけ動かす。画素ずらし機構２０は、画素ずらし駆動回路２４によって制御されている。
【００３０】
先述したように、画像読取り部４の厚み４６は小さいことが好ましい。画像読取り部４は、部品の物理的な大きさから、レンズ１４の光軸の方向よりも光軸に垂直な方向のサイズを小さくする方が、画質の高さと厚み４６の小ささを両立させることが容易である。厚み４６が小さい画像読取り部４は、使用者の視界を妨げることが少なく好ましい。
【００３１】
人が顔を上下に振ることによって瞳孔の中心が上下に移動する距離は５０ｍｍ程度である。そのため、厚み４６が５０ｍｍ以下であると、使用者は、顔を上下に軽く動かすことによって画像読取り部４に視界が妨げられている部分を容易に見ることができ、好ましい。
【００３２】
図３は、画像読取り装置２を鉛直方向の上側から見たときの原稿１０と画像読取り部４との位置の関係を示している。画像読取り装置２が使用者（例えば銀行員）と顧客との間に置かれて使用される場合、画像読取り装置２は、顧客方向３６と使用者方向３８とが縦中心線５６の延長上になる向きで使用される。
【００３３】
画像読取り部４が具備するレンズ１４のレンズ光軸５２は、鉛直方向に作業面１２に射影したとき、原稿１０の縦中心線５６から法線方向にずれた位置にある。
【００３４】
原稿１０からの反射光は、レンズ光軸５２に対して斜めに入射する。そのため、レンズ１４は、レンズ光軸５２を基準として原稿中心５０と反対の方向にずれた位置に原稿１０の像を結ぶ。その像の中心に合わせてエリアイメージセンサ１６の中心５４が来るようにエリアイメージセンサ１６が設置される。
【００３５】
図４を参照して、画像読取り部４の高さと使用者２６の身体との関係について説明する。
（１）画像読取り部４の下端の高さ４２は、使用者２６の視線６２の高さ６０と同じかそれ以上であることが好ましい。こうした高さに画像読取り部４があると、使用者２６が原稿１０を見下ろすときに視界が画像読取り部４によって妨げられることがなく、原稿１０が見やすい。
（２）画像読取り部４の上端の高さ４４は、使用者２６の頭頂部の高さ５８と同じかそれ以下であることが好ましい。こうした高さに設けられた画像読取り部４は、使用者２６に威圧感を与えることが少ない。
【００３６】
画像読取り部４の下端の高さ４２と上端の高さ４４とは、平均的な体格の人に対して以上の（１）と（２）の条件が満たされるように決められることが好ましい。そうした高さを決める具体的な方法を以下に示す。
【００３７】
図５を参照して、使用者２６が椅子に座り、机の上に置かれた画像読取り装置を使用する場合を想定して、ａ、ｂ、ｃ、ｄ、ｅ、ｆ、ｇ及びｈを次のように定義する。
【００３８】
ａ…座面２８から使用者２６の頭頂部までの高さ。
ｂ…座面２８から使用者２６の視線までの高さ。
ｃ…床から座面２８までの高さ。
ｄ…作業面１２から使用者２６の視線までの高さ。
ｅ…作業面１２から使用者２６の頭頂部までの高さ。
ｆ…作業面１２から画像読取り部４の下端までの高さ。
ｇ…作業面１２から画像読取り部４の上端までの高さ。
ｈ…床から作業面１２までの高さ。
【００３９】
ｄとｅとは、ａ、ｂ、ｃ、ｈを用いて次の式で表される。
ｄ＝ｂ＋ｃ−ｈ
ｅ＝ａ＋ｃ−ｈ
【００４０】
上記（１）の条件が満たされるためにはｆ＞ｄ、（２）の条件が満たされるためにはｇ＜ｅとなるようにｆとｇが決められればよい。
【００４１】
図６は、日本人の体格に関して、『日本人の人体計測データ』（財団法人  人間生活工学研究センター）に記載されているデータから作成された表である。このデータから、２０歳から４９歳までの日本人男女の平均値として、ａ＝８８９ｍｍ、ｂ＝７７０ｍｍ、ｃ＝３８３ｍｍが得られる。
【００４２】
百貨店に例示される大型店舗の窓口、あるいは銀行の窓口に置かれる机の床からの高さは７１０ｍｍ程度のものが一般的であるため、ｈ＝７１０ｍｍとする。すると、ｄとｅは次のように計算される。
【００４３】
ｄ＝７７０＋３８３−７１０＝４４３（ｍｍ）
ｅ＝８８９＋３８３−７１０＝５６２（ｍｍ）
従って、（１）画像読取り部４の下端の高さは４４３ｍｍ以上であることが好ましい。（２）画像読取り部４の上端の高さは５６２ｍｍ以下であることが好ましい。
【００４４】
以上の構成を具備する画像読取り装置２は、以下のように動作する。
【００４５】
使用者は、銀行、デパートなどの窓口の机上に画像読取り装置２を置く。図３を参照して、使用者は、自分の位置が画像読取り装置２に対してレンズ光軸５２と平行な方向に、原稿中心５０からの延長線上に位置するような向きで画像読取り装置２を設置する。顧客は、原稿中心５０に対して使用者と反対の位置である顧客方向３６に位置する。画像読取り部４は、平均的な体格の人の視線より高い位置にあるため、使用者と顧客は視線を妨げられることなく互いを見ることができる。
【００４６】
画像読取り部４は、平均的な体格の人の頭頂部より低い位置にあるため、使用者あるいは顧客は威圧感を感じることがない。
【００４７】
画像読取り部４は、厚み４６が５０ｍｍ以下であるため、使用者あるいは顧客が画像読取り部４に視界を妨げられている場所を見ようとしたとき、軽く顔を上下に動かすことで容易に見ることができる。
【００４８】
使用者あるいは顧客は、画像読取り装置２に読取らせたい原稿１０を作業面１２に置き、原稿１０を台８に合わせ、あるいは図示しない目合わせ手段を用いて所定の場所に配置する。
【００４９】
画像読取り部４は、平均的な体格の人の視線より高い位置にあるため、使用者あるいは顧客は原稿１０を見るときに視界を妨げられることがない。
【００５０】
原稿１０には、蛍光灯に例示される室内の照明の光が反射している。原稿１０が反射した光は、画像読取り部４に入射し、ミラー１８によって反射され、レンズ１４によってエリアイメージセンサ１６の位置に像を結ぶ。
【００５１】
画像読取り装置２が具備する図示しないスイッチを使用者がオン状態にすると、イメージセンサ制御処理回路２２はエリアイメージセンサ１６を駆動して原稿１０の画像を撮影する。撮影が済むと画素ずらし駆動回路２４は画素ずらし機構２０に指令を出し、画素ずらし機構２０はエリアイメージセンサ１６を画素が配列している面に平行な方向に微小に移動させる。イメージセンサ制御処理回路２２はエリアイメージセンサ１６を制御して原稿１０の画像を再び撮影する。
【００５２】
図７は、エリアイメージセンサ１６が備える画素の配列を説明するための図である。画素ずらしの前における画素２９ａの密度は１８１ｄｐｉ（ｄｏｔ  ｐｅｒ  ｉｎｃｈ）であり、１４０μｍの間隔で縦横に配列している。画素ずらし機構２０は、縦横に配列している画素を配列の対角線方向に１００μｍ移動させる。画素ずらしの後における画素２９ｂの密度は１８１ｄｐｉであり、１４０μｍの間隔で縦横に配列している。
【００５３】
イメージセンサ制御処理回路２２は、画素ずらし前に撮影した画像と画素ずらし後に撮影した画像とを合成する。図７において画素ずらし前画素２９ａと画素ずらし後画素２９ｂとを合わせて、図面を４５度回転させて見ると、図８に示すように画素が縦横に約１００μｍの間隔に並び２５５ｄｐｉの密度で配列したものになる。イメージセンサ制御処理回路２２は、画素ずらし前と後の画像を合成することによって、２５５ｄｐｉの画素による画像と同じ解像度の画像を作成する。画素ずらしを用いて読取られた画像は解像度が高く、文字認識あるいは画像認識に好適に用いられる。
【００５４】
作成された画像は、イメージセンサ制御処理回路に接続された図示しない記憶装置に格納され、あるいは図示しない表示装置に表示される。
【００５５】
図９は、本発明による画像読取り装置の実施の形態の変形例を示している。変形例における画像読取り装置２ａは、Ｌ字型をした台８に代えて、読取られる原稿を載せる原稿面１３を有する台８´を具備している。台８´は、原稿面１３に垂直な方向に台厚み６４を有している。台８´にはアーム６が取り付けられており、アーム６の上端には画像読取り部４が取り付けられている。こうした画像読取り装置２ａにおいて、画像読取り部４の下端の高さ４２´と上端の高さ４４´とは、画像読取り装置２と同じ方法で決められる。但し確認のために指摘しておけば、図５におけるｆは、原稿面１３を基準とした画像読取り装置４の下端の高さ４２´に台厚み６４を加えた高さであり、ｇは原稿面１３を基準とした画像読取り装置４の上端の高さ４４´に台厚み６４を加えた高さである。
【００５６】
こうした画像読取り装置２ａは、台８´の原稿面１３と対向する面が作業面１２と接する向きに作業面１２の上に置かれる。使用者が読取りの対象となる原稿を原稿面１３に配置し、図示しないスイッチをオン状態とすると、画像読取り部４は原稿の画像を読取る。
【００５７】
図１０は、実施の形態の他の変形例における画像読取り装置を示している。変形例における画像読取り装置の画像読取り部４ａは、白熱球、高輝度の発光ダイオードあるいは小型の蛍光管に例示される発光デバイスを備えた発光部３１を具備している。
【００５８】
使用者が原稿１０を配置して図示しないスイッチを入れると、画像読取り装置は発光部３１を点灯させ、原稿１０を読取る。画像読取り装置は、原稿１０の読取りが終わると発光部３１を消灯する。使用者は、発光部を参照することによって、画像の読取りが行われている最中か否かを容易に確認できる。こうした画像読取り装置は、原稿が不適切なタイミングで配置され、あるいは取り除かれることを防止する。こうした画像読取り装置は、離れたところにいる人にも使用状況が容易に分かる。
【００５９】
発光部３１に加えて、更に台８あるいはアーム６の台８に近い部位に発光部３１と同じ動作をする発光デバイスが設けられると、使用者が原稿１０を視認するときに該発光デバイスが同時に視界に入り、使用者は画像読取り装置の動作を更に容易に確認できる。
【００６０】
【発明の効果】
本発明によれば、使用者の視界が妨げられることが少ない画像読取り装置が提供される。
更に本発明によれば、使用者に威圧感を感じさせることが少ない画像読取り装置が提供される。
更に本発明によれば、読取られる原稿を間に挟んで対面する使用者と顧客の意思疎通が快適に行われる画像読取り装置が提供される。
更に本発明によれば、画質が高く使用者の視界を妨げることが少ない画像読取り装置が安価に提供される。
更に本発明によれば、オフィスの作業スペースを広く使用することを可能にする画像読取り装置が提供される。
更に本発明によれば、画質が高く操作性の良い画像読取り装置が提供される。
【図面の簡単な説明】
【図１】図１は、画像読取り装置の構成を示す。
【図２】図２は、画像読取り部の構成を示す。
【図３】図３は、画像読取り部の上面を取り去った状態で画像読取り装置を上方から見た図である。
【図４】図４は、画像読取り装置の高さについて説明するための図である。
【図５】図５は、画像読取り装置の高さについて説明するための図である。
【図６】図６は、日本人の体格を示す表である。
【図７】図７は、画素ずらし機構を説明するための図である。
【図８】図８は、画素ずらし機構を説明するための図である。
【図９】図９は、画像読取り装置の構成を示す。
【図１０】図１０は、画像読取り装置の構成を示す。
【図１１】図１１は、従来技術における画像読取り装置の構成を示す。
【図１２】図１２は、従来技術における画像読取り部の構成を示す。
【符号の説明】
２、２ａ、２ｂ…画像読取り装置
４、４ａ…画像読取り部
６…アーム
８、８´…台
１０…原稿
１２…作業面
１３…原稿面
１４…レンズ
１６…エリアイメージセンサ
１８…ミラー
２０…画素ずらし機構
２２…イメージセンサ制御処理回路
２４…画素ずらし駆動回路
２６…使用者
２８…座面
２９ａ…画素ずらし前画素
２９ｂ…画素ずらし後画素
２９ｃ…画素
３１…発光部
３２…光軸方向
３４…鉛直方向
３６…顧客方向
３８…使用者方向
４２、４２´…高さ
４４、４４´…高さ
４６…厚み
４８…ずれ
５０…原稿中心
５４…中心
５６…縦中心線
５８…高さ
６０…高さ
６２…視線
６４…台厚み
１０１…画像読取り装置
１０２…台
１０３…原稿
１０４…原稿中心
１０５…エリアイメージセンサ
１０８…イメージセンサ制御処理回路
１１２…鉛直方向
１３１…画像読取り部
１３２…アーム
１３４…レンズ
１３６…光軸
【図１】
2004336115.tif 000003
【図２】
2004336115.tif 000004
【図３】
2004336115.tif 000005
【図４】
2004336115.tif 000006
【図５】
2004336115.tif 000007
【図６】
2004336115.tif 000008
【図７】
2004336115.tif 000009
【図８】
2004336115.tif 000010
【図９】
2004336115.tif 000011
【図１０】
2004336115.tif 000012
【図１１】
2004336115.tif 000013
【図１２】
2004336115.tif 000014